(57)【要約】手持ち式の塗布器が、第１の貯留槽に隣接する第１の塗布器層と、当該塗布器をしっかりと保持するための指受け入れ空間とを備えている。第１の塗布器層が外側に向いている場合、充填材料は、塗布器の外側で分配され、第１の塗布器層が指受け入れ空間内へと向いている場合、充填材料は、指受け入れ空間内へと分配され、かつ、指受け入れ空間内にある指に塗布される。塗布器は、第２の量の充填材料をしっかりと貯蔵および分配するために、第２の貯留槽に隣接し、かつ、第１の塗布器層および第１の貯留槽と反対側にある第２の塗布器層をさらに含んでいてもよい。貯留槽アクセス層が、第１の塗布器層と第１の貯留槽とを、かつ、第２の塗布器層と第２の貯留槽とを分離しており、充填材料が貯留槽にしっかりと貯蔵される第１の閉状態と、充填材料が塗布器層を通じて貯留槽から分配される第２の開状態との間で変形する。【選択図】図２３
2021504079.tif 000002
【特許請求の範囲】
【請求項１】
当該塗布器内に貯蔵した充填材料を分配するための手持ち式の塗布器であって、
（ａ）第１の量の充填材料を貯蔵するよう構成された、第１の貯留槽と、
（ｂ）前記第１の貯留槽に隣接し、かつ、前記第１の量の前記充填材料を分配するよう構成された、第１の塗布器層と、
（ｃ）指受け入れ空間と、を備える、
塗布器。
【請求項２】
前記第１の貯留槽は、前記塗布器層に隣接する第１の貯留槽アクセス層と、前記第１の貯留槽アクセス層と反対側の第１の裏層とを備えており、前記第１の貯留槽アクセス層および前記第１の裏層は、充填空間を形成している、請求項１に記載の塗布器。
【請求項３】
前記第１の貯留槽アクセス層は、第１の閉状態と第２の開状態との間で変形可能とされており、かつ、前記第１の貯留槽の前記充填空間と前記第１の塗布器層との間で、流体連通を可能にするよう構成されている、請求項２に記載の塗布器。
【請求項４】
前記第１の貯留槽アクセス層は、第１の閉状態と第２の開状態との間で変形可能な第１の複数の細孔を備え、かつ、前記複数の細孔が開状態にあるときに、前記第１の貯留槽の前記充填空間と前記第１の塗布器層との間で、流体連通を可能にするよう構成されている、請求項３に記載の塗布器。
【請求項５】
前記第１の貯留槽の前記充填空間は、第１の分室および第２の分室を備えており、前記第１の貯留槽アクセス層にある前記第１の複数の細孔は、前記第１の分室に重なっており、前記第１の貯留槽アクセス層にある第２の複数の細孔は、前記第２の分室に重なっている、請求項４に記載の塗布器。
【請求項６】
前記第１の貯留槽アクセス層は、第１の閉状態と第２の開状態との間で変形可能な第１のアクセス孔を備え、かつ、前記第１の貯留槽の前記充填空間と前記第１の塗布器層との間で、流体連通を可能にするよう構成されている、請求項３に記載の塗布器。
【請求項７】
前記第１の貯留槽アクセス層に解除可能に貼着され、かつ、前記第１のアクセス孔に重なっている、第１のつまみをさらに備える、請求項６に記載の塗布器。
【請求項８】
前記第１の貯留槽の前記充填空間は、第１の分室および第２の分室を備えており、前記第１の貯留槽アクセス層にある前記第１のアクセス孔は、前記第１の分室に重なっており、前記第１の貯留槽アクセス層にある第２のアクセス孔は、前記第２の分室に重なっており、前記第１のつまみは、前記第１の貯留槽アクセス層に解除可能に貼着され、かつ、前記第１のアクセス孔および前記第２のアクセス孔に重なっている、請求項７に記載の塗布器。
【請求項９】
前記充填空間は、第１の分室および第２の分室を備えており、前記第１の貯留槽アクセス層にある前記第１のアクセス孔は、前記第１の分室に重なっており、前記第１の貯留槽アクセス層にある第２のアクセス孔は、前記第２の分室に重なっており、前記第１のつまみは、前記第１の貯留槽アクセス層に解除可能に貼着され、かつ、前記第１のアクセス孔に重なっており、第２のつまみが、前記第１の貯留槽アクセス層に解除可能に貼着され、かつ、前記第２のアクセス孔に重なっている、請求項７に記載の塗布器。
【請求項１０】
前記つまみは、つまみ延長部と、折り返し部により分離される折り重ね部とを備えており、前記折り重ね部は、前記第１の貯留槽アクセス層に解除可能に貼着され、かつ、前記第１のアクセス孔に重なっており、前記つまみ延長部をつまみ除去方向に引くことにより、前記つまみは折り返し部において広げられ真っ直ぐにされる、請求項７に記載の塗布器。
【請求項１１】
前記第１の貯留槽内の充填空間は、仕切りにより分離された第１および第２の分室を備えており、前記充填材料は、前記充填空間の前記第１の分室に貯蔵され、前記充填空間の前記第１の分室から分配される、ある量の第１の材料と、前記充填空間の前記第２の分室に貯蔵され、前記充填空間の前記第２の分室から分配される、ある量の第２の材料とを備えている、請求項１に記載の塗布器。
【請求項１２】
前記第１の材料の前記量および前記第２の材料の前記量は等しいか、または、前記第１の材料の前記量および前記第２の材料の前記量は異なっている、請求項１１に記載の塗布器。
【請求項１３】
前記第１の材料および第２の材料は、同じまたは異なる材料であってもよい、請求項１１に記載の塗布器。
【請求項１４】
前記第１の量および第２の量の充填材料は、液体、クリーム、磨き剤、薬剤、医薬および軟膏からなる群から選ばれる、請求項１１に記載の塗布器。
【請求項１５】
前記第１の貯留槽内の充填空間は、さまざまな量の前記充填材料を貯蔵および分配するよう構成された、可変の容積を備えている、請求項１に記載の塗布器。
【請求項１６】
前記充填材料は、液体、クリーム、磨き剤、薬剤、医薬および軟膏からなる群から選ばれる、請求項１に記載の塗布器。
【請求項１７】
前記指受け入れ空間は、前記第１の貯留槽に隣接している、請求項１に記載の塗布器。
【請求項１８】
前記指受け入れ空間は、前記第１の塗布器層の塗布器表面に隣接している、請求項１に記載の塗布器。
【請求項１９】
前記指受け入れ空間は、前記第１の塗布器層の前記塗布器表面に貼着されたフィルム層により形成されている、請求項１８に記載の塗布器。
【請求項２０】
前記第１の貯留槽からの前記充填材料は、貯留槽アクセス層を通じて、前記指受け入れ空間内へと分配される、請求項１９に記載の塗布器。
【請求項２１】
前記指受け入れ空間は、前記第１の貯留槽の裏層に貼着されたフィルム層により形成されている、請求項２に記載の塗布器。
【請求項２２】
前記第１の塗布器層は、スポンジ、布および発泡体からなる群から選ばれる、請求項１に記載の塗布器。
【請求項２３】
（ｄ）第２の量の前記充填材料を貯蔵するよう構成された、第２の貯留槽と、
（ｅ）塗布器表面を有する第２の塗布器であって、前記第２の貯留槽に隣接し、かつ、前記第２の量の前記充填材料を分配するよう構成された、第２の塗布器をさらに備える、請求項１に記載の塗布器。
【請求項２４】
前記第１の貯留槽は、前記第１の塗布器層に隣接する第１の貯留槽アクセス層、および、前記第１の貯留槽アクセス層と反対側の第１の裏層を備え、前記第１の貯留槽アクセス層および前記裏層は、第１の充填空間を形成しており、前記第２の貯留槽は、前記第２の塗布器層に隣接する第２の貯留槽アクセス層、および、前記第２の貯留槽アクセス層と反対側の第２の裏層を備え、前記第２の貯留槽アクセス層および第２の裏層は、第２の充填空間を形成している、請求項２３に記載の塗布器。
【請求項２５】
前記第１の貯留槽アクセス層および第２の貯留槽アクセス層は、第１の閉状態と第２の開状態との間で変形可能とされており、かつ、前記第１の貯留槽の前記充填空間と前記第１の塗布器層との間、および、前記第２の貯留槽の前記充填空間と前記第２の塗布器層との間で、流体連通を可能にするよう構成されている、請求項２４に記載の塗布器。
【請求項２６】
前記第２の貯留槽アクセス層は、第１の閉状態と第２の開状態との間で変形可能な第１の複数の細孔を備え、かつ、前記複数の細孔が開状態にあるときに、前記第２の貯留槽の前記充填空間と前記第２の塗布器層との間で、流体連通を可能にするよう構成されている、請求項２５に記載の塗布器。
【請求項２７】
前記第２の貯留槽の第２の充填空間は、仕切りにより分離された第１および第２の分室を備えており、前記充填材料は、前記第２の充填空間の前記第１の分室に貯蔵され、前記第２の充填空間の前記第１の分室から分配される、ある量の第１の材料と、前記第２の充填空間の前記第２の分室に貯蔵され、前記第２の充填空間の前記第２の分室から分配される、ある量の第２の材料とを備えている、請求項２３に記載の塗布器。
【請求項２８】
前記第１の材料の前記量および前記第２の材料の前記量は等しいか、または、前記第１の材料の前記量および前記第２の材料の前記量は異なっている、請求項２７に記載の塗布器。
【請求項２９】
前記第１の材料および前記第２の材料は、同じまたは異なる材料であってもよい、請求項２７に記載の塗布器。
【請求項３０】
前記充填材料の前記第１の量は、液体、クリーム、磨き剤、薬剤、医薬および軟膏からなる群から選ばれ、前記充填材料の前記第２の量は、液体、クリーム、磨き剤、薬剤、医薬および軟膏からなる群から選ばれる、請求項２４に記載の塗布器。
【請求項３１】
前記第２の貯留槽内の充填空間は、さまざまな量の前記充填材料を貯蔵および分配するよう構成された、可変の容積を備えている、請求項２４に記載の塗布器。
【請求項３２】
前記第１の貯留槽は、前記第２の貯留槽に隣接しており、前記指受け入れ空間は、前記第１の貯留槽と第２の貯留槽との間に形成されている、請求項２４に記載の塗布器。
【請求項３３】
前記第１の塗布器層は、前記第２の塗布器層に隣接しており、前記指受け入れ空間は、前記第１の塗布器表面と第２の塗布器表面との間に形成されている、請求項２４に記載の塗布器。
【請求項３４】
前記第１の貯留槽からの前記充填材料は、前記第１の貯留槽アクセス層を通じて、前記指受け入れ空間内へと分配され、前記第２の貯留槽からの充填材料は、前記第２の貯留槽アクセス層を通じて、前記指受け入れ空間内へと分配される、請求項３３に記載の塗布器。
【請求項３５】
前記第１の塗布器層は、スポンジ、布および発泡体からなる群から選ばれ、前記第２の塗布器層は、スポンジ、布および発泡体からなる群から選ばれる、請求項２４に記載の塗布器。
【請求項３６】
第１および第２の対向する側縁、丸みを付けた下縁および丸みを付けた上縁により区画される外周縁をさらに備える、請求項１に記載の塗布器。
【請求項３７】
前記丸みを付けた上縁は、前記丸みを付けた下縁と同じであるか、または、前記丸みを付けた上縁は、前記丸みを付けた下縁と異なっている、請求項３６に記載の塗布器。
【請求項３８】
第１および第２の対向する側縁、丸みを付けた下縁および丸みを付けた上縁により区画される外周縁をさらに備え、前記丸みを付けた上縁は前記つまみを被覆する、請求項７に記載の塗布器。
【請求項３９】
前記第１の塗布器層は第１の塗布器表面を備えており、前記第１の塗布器表面は外部に向いており、当該塗布器は、前記第１の塗布器表面に解除可能に貼着された保護被覆をさらに備えている、請求項１に記載の塗布器。
【請求項４０】
前記第１の充填空間は、複数の分室を備えている、請求項２に記載の塗布器。
【請求項４１】
前記第１の充填空間および第２の充填空間はそれぞれ、複数の分室を備えている、請求項２４に記載の塗布器。
【請求項４２】
当該塗布器内に貯蔵した充填材料を分配するための塗布器であって、
（ａ）第１の量の充填材料を貯蔵するよう構成された、第１の貯留槽と、
（ｂ）前記第１の貯留槽に隣接し、かつ、前記第１の量の前記充填材料を分配するよう構成された、第１の塗布器層と、
（ｃ）指受け入れ空間と、
（ｄ）第２の量の前記充填材料を貯蔵するよう構成された、第２の貯留槽と、
（ｅ）塗布器表面を有する第２の塗布器であって、前記第２の貯留槽に隣接し、かつ、前記第２の量の前記充填材料を分配するよう構成された、第２の塗布器をさらに備える、塗布器。
【請求項４３】
当該塗布器内に貯蔵した充填材料を分配するための手持ち式の塗布器であって、
（ａ）第１の量の充填材料を貯蔵するよう構成された、第１の貯留槽と、
（ｂ）前記第１の貯留槽に隣接し、かつ、前記第１の量の前記充填材料を分配するよう構成された、第１の塗布器層と、
（ｃ）指受け入れ空間と、
（ｄ）第２の量の前記充填材料を貯蔵するよう構成された、第２の貯留槽と、
（ｅ）塗布器表面を有する第２の塗布器であって、前記第２の貯留槽に隣接し、かつ、前記第２の量の前記充填材料を分配するよう構成された、第２の塗布器をさらに備え、
前記第１の貯留槽は、前記第１の塗布器層に隣接する第１の貯留槽アクセス層と、前記第１の貯留槽アクセス層と反対側の第１の裏層とを備えており、前記第１の貯留槽アクセス層および前記裏層は、第１の充填空間を形成しており、前記第２の貯留槽は、前記第２の塗布器層に隣接する第２の貯留槽アクセス層と、前記第２の貯留槽アクセス層と反対側の第２の裏層とを備えており、前記第２の貯留槽アクセス層および第２の裏層は、第２の充填空間を形成しており、
前記第１の塗布器層は、前記第２の塗布器層に隣接しており、前記指受け入れ空間は、前記第１の塗布器表面と第２の塗布器表面との間に形成されており、
前記第１の貯留槽からの前記充填材料は、前記第１の貯留槽アクセス層を通じて、前記指受け入れ空間内へと分配され、前記第２の貯留槽からの前記充填材料は、前記第２の貯留槽アクセス層を通じて、前記指受け入れ空間内へと分配される、塗布器。
【発明の詳細な説明】
【技術分野】
【０００１】
本開示の塗布器は、手持ち式の液体およびクリーム塗布器の分野に関する。
【背景技術】
【０００２】
クリーム、磨き剤、剥離剤、忌避剤または薬剤の塗布には通常、ユーザが、容器から綿玉又は綿棒に物質を付け、または、物質を、それが塗布されようとする表面に直接付けることが必要である。
【発明の概要】
【発明が解決しようとする課題】
【０００３】
そうすることで、あまりに多くの物質が表面に、或いは綿玉又は綿棒に付けられる結果になる場合がある。さらに、ユーザによるそのような直接の接触により、物質がユーザの皮膚または他の器官に接触したときに、物質の汚染または副作用につながる場合がある。起こり得る汚染および副作用を除去できる装置が、そのような物質の塗布に際して有効であろう。
【課題を解決するための手段】
【０００４】
本発明は、中に貯蔵した液体またはクリームの性質の充填材料を分配するための手持ち式の塗布器であって、当該塗布器は、第１の量の前記充填材料を貯蔵するよう構成された第１の貯留槽と、前記第１の貯留槽に隣接し、かつ、前記第１の貯留槽から前記第１の量の充填材料を分配するよう構成された、第１の塗布器層と、指受け入れ空間と、を備えている。前記第１の貯留槽は、前記第１の塗布器表面に隣接する貯留槽アクセス層と、前記貯留槽アクセス層と反対側の裏層とを備えている。前記貯留槽アクセス層および裏層は、前記充填材料を受け入れるための充填空間を形成している。
【０００５】
前記貯留槽アクセス層は、第１の複数の細孔であって、当該複数の細孔が開状態にあるときに、前記第１の貯留槽の充填空間と第１の塗布器層との間で、流体連通を可能にするよう構成された、第１の複数の細孔を備えていてもよい。前記貯留槽アクセス層はまた、つまみによって被覆される閉状態から、前記つまみが除去され前記穴が露出されて、前記第１の貯留槽の充填空間と前記第１の塗布器層との間で流体連通を可能にする、開状態へと変形可能な第１の孔を備えていてもよい。前記第１の塗布器層は、当該塗布器の外部で前記充填材料を分配する、外側の表面（ｅｘｔｅｒｎａｌ  ｆａｃｉｎｇ）であっても、または、前記指受け入れ空間内へと前記充填材料を分配する、内側の表面（ｉｎｔｅｒｎａｌ  ｆａｃｉｎｇ）であってもよい。
【０００６】
本発明に係る塗布器は、第１および第２の塗布器層、ならびに、第１および第２の量の充填材料を貯蔵および分配するための第１および第２の貯留槽を備えていてもよい。前記第１および第２の量の充填材料は、同じ材料であっても、または、異なる材料であってもよい。前記第１および第２の塗布器層は、当該塗布器の外部で前記充填材料を分配する、外側の表面であっても、または、前記指受け入れ空間内へと前記充填材料を分配する、内側の表面であってもよい。
【図面の簡単な説明】
【０００７】
【図１】本発明に係る手持ち式の塗布器の等角図である。
【図２】図１の手持ち式の塗布器の第２の等角図である。
【図３】図１の手持ち式の塗布器の正面図である。
【図４】図１の手持ち式の塗布器の後面図である。
【図５】図１の手持ち式の塗布器の分解等角図である。
【図６】本発明に係る手持ち式の塗布器の等角図である。
【図７】図６の手持ち式の塗布器の第２の等角図である。
【図８】図６の手持ち式の塗布器の後面図である。
【図９】図６の手持ち式の塗布器の分解等角図である。
【図１０】本発明に係る手持ち式の塗布器の分解等角図である。
【図１１】本発明に係る手持ち式の塗布器の分解等角図である。
【図１２】本発明に係る手持ち式の塗布器の分解等角図である。
【図１３】図１０の手持ち式の塗布器の等角図である。
【図１４】本発明に係る手持ち式の塗布器の正面図である。
【図１５】図１４の手持ち式の塗布器の等角図である。
【図１６】本発明に係る手持ち式の塗布器の分解等角図である。
【図１７】図１６の手持ち式の塗布器の等角図である。
【図１８】本発明に係る手持ち式の塗布器の分解等角図である。
【図１９】本発明に係る手持ち式の塗布器の分解等角図である。
【図２０】本発明に係る手持ち式の塗布器の等角図である。
【図２１】図２０の手持ち式の塗布器の正面図である。
【図２２】図２０の手持ち式の塗布器の後面図である。
【図２３】本発明に係る手持ち式の塗布器の等角図である。
【図２４】図２３の手持ち式の塗布器の正面図である。
【図２５】図２３の手持ち式の塗布器の後面図である。
【図２６】本発明に係る手持ち式の塗布器の等角図である。
【図２７】図２６の手持ち式の塗布器の正面図である。
【図２８】図２６の手持ち式の塗布器の後面図である。
【図２９】本発明に係る手持ち式の塗布器の等角図である。
【図３０】図２９の手持ち式の塗布器の正面図である。
【図３１】図２９の手持ち式の塗布器の後面図である。
【図３２】本発明に係る手持ち式の塗布器の正面等角図である。
【図３３】図３２の手持ち式の塗布器の後面図である
【図３４】図２０の手持ち式の塗布器の正面図である。
【図３５】図２０の手持ち式の塗布器の後面図である。
【図３６】本発明に係る手持ち式の塗布器の等角図である。
【図３７】図３６の手持ち式の塗布器の正面図である。
【図３８】図３６の手持ち式の塗布器の後面図である。
【図３９】本発明に係る手持ち式の塗布器の等角図である。
【図４０】図３９の手持ち式の塗布器の正面図である。
【図４１】図３９の手持ち式の塗布器の後面図である。
【図４２】本発明に係る手持ち式の塗布器の等角図である。
【図４３】図４２の手持ち式の塗布器の正面図である。
【図４４】図４２の手持ち式の塗布器の後面図である。
【図４５】本発明に係る手持ち式の塗布器の等角図である。
【図４６】図４５の手持ち式の塗布器の正面図である。
【図４７】図４５の手持ち式の塗布器の後面図である。
【図４８】本発明に係る手持ち式の塗布器の等角図である。
【図４９】図４８の手持ち式の塗布器の正面図である。
【図５０】図４８の手持ち式の塗布器の後面図である。
【発明を実施するための形態】
【０００８】
時として、本発明は本明細書において、例となる環境の観点から説明される。本発明のさまざまな特徴および実施形態を、例示的な用途という文脈において描写できるようにするために、これらの環境の観点からの説明がなされている。本説明を読んだあとでは、異なる選び得る環境中で本発明をいかに実施できるかが、当業者にとって明らかとなるであろう。
【０００９】
他に定義されていない限り、本明細書で使用するすべての技術および科学用語は、本発明が属する分野の当業者の誰かが通常理解するのと同じ意味を有する。本明細書で言及する、すべての特許、出願、公開出願および他の公表物は、その全体が参照により組み込まれる。この部分に記載する定義が、参照により本明細書に組み込まれる出願、公開出願および他の公表物に記載した定義に反している、または他の仕方で一致しない場合、この文書に記載する定義が、参照により本明細書に組み込まれる定義に優先する。
【００１０】
ここに添付する図面は、溶液、クリーム、磨き剤、薬剤（ｍｅｄｉｃｉｎｅ）、医薬（ｍｅｄｉｃａｍｅｎｔ）、軟膏などを、過剰、浪費、汚染および混乱（ｍｅｓｓ）を最小化する仕方で含む、所定の量の充填材料１２を貯蔵および投与するための手持ち式の塗布器１０という、発明の実施形態を示している。図５に示すように、本発明の手持ち式の塗布器１０の実施形態は全体として、塗布器表面１６を有する第１の塗布器層１４と、第１の塗布器層１４に隣接し、かつ、第１の塗布器層１４を通じて、所定の量の充填材料１２を貯蔵および分配するよう構成された、第１の貯留槽１８と、ユーザの指または道具もしくは器具の類似の形状の延長部を受け入れるよう構成された、指受け入れ空間２０とを備えている。
【００１１】
１つの実施形態における第１の塗布器層１４は、スポンジまたは発泡体（図５）を備えていてもよく、かつ、別の実施形態では、布（図９）を備えていてもよい。第１の塗布器層１４は、特定の充填材料および用途に応じて、厚み、多孔率および組成がさまざまである。例えば、より濃密なクリームが貯留槽に入っている場合、開放気孔のスポンジまたは布が、塗布器の表面へのクリームの流れおよび移送を容易にするのに好ましいであろう。スポンジ、発泡体または布は、結晶または粉末の形態の製品を染み込ませ、次いで、貯留槽１８からの液体の充填材料１２の導入に応じて稼働させることができる。スポンジ、発泡体または布の塗布器層１４は、特定の用途に応じて、多少の研磨性を有するよう選ばれる。例えば、皮膚を剥離し保湿剤を塗布するために使用する際、スポンジまたは布は、その剥離効能を向上するために、より研磨性を有することが好ましい。これに対して、洗浄剤をヘッドライトレンズに塗布する場合、レンズ材料に掻き傷を付けるのを避けるために、より研磨性の低いスポンジまたは布が望ましい。
【００１２】
第１の貯留槽１８は、周縁の周りを互いに溶着、接着または封止して充填空間２６を形成および区画した、貯留槽アクセス層２２および裏層２４で形成されている。充填空間の容積は、貯留槽アクセス層２２および裏層２４のさまざまな地点で充填空間２６を封止することにより、容易に調節できる。第１の容積の充填空間を形成する充填空間封止４５ａ、４５ｂを、図５に示す。充填空間封止４５ａ、４５ｂおよび４７ａ、４７ｂが、図９、図１０、図１６、図１８および図１９に示す塗布器１０の実施形態に示されている。貯留槽アクセス層２２は、第１の塗布器層１４に隣接しており、かつ、充填材料が第１の貯留槽１８内にしっかりと封止される第１の、閉位置と、充填材料１２を分配するために第１の貯留槽１８と第１の塗布器層１４との間で流体連通を可能にする第２の開位置との間で、変形可能とされている。貯留槽アクセス層２２および裏層２４を形成するのに選ばれる材料は、充填材料１２の保存可能期間および／または性質により要求されることになり、かつ、さまざまな箔またはポリエチレンフィルムから、一般に選ばれる。
【００１３】
貯留槽アクセス層２２は、図５および図９に示す塗布器１０の実施形態に見られるように、充填材料１２が充填空間２６内に固定されている第１の閉位置から、第１の貯留槽１８と第１の塗布器層１４との間で流体連通を可能にする第２の開位置に、変形可能とされている。図５の塗布器の実施形態を参照して、第１の貯留槽アクセス層２２は、第１のつまみ３０により開放可能に被覆される、アクセス孔２８を備えている。つまみ３０は、延長部３２と、折り返し部３６により分離された折り重ね部３４とを、折り重ね部３４がアクセス孔２８を覆って貯留槽アクセス層２２に貼着された状態で、備えている。操作中の塗布器１０の構造的な一体性を維持するため、アクセス孔２８を露出するために、ユーザは、延長部３２を引き寄せて、折り重ね部３４が貯留槽アクセス層２２から離されるように、つまみ３０が折り返し部３６を広げ、または真っ直ぐにするようにする。
【００１４】
図９に示す塗布器１０の実施形態に見られるように、貯留槽アクセス層２２は、適切な圧力が第１の貯留槽１８に加えられたときに開くまたは裂けることになる、第１の複数の細孔３８（ミシン目）を備えていてもよい。第１の複数の細孔３８が開くと、貯留槽アクセス層２２は、第１の貯留槽２８と第１の塗布器層１４との間の流体連通を促進する。
【００１５】
図１０〜図１２に示す塗布器１０の他の実施形態では、充填空間２６は、複数の分室にさらに分割されている。これらの図では、充填空間２６は、第１および第２の分室２６ａ、２６ｂに分割されており、充填材料１２は、第１の材料１２ａおよび第２の材料１２ｂに分割されている。第１および第２の材料１２ａ、１２ｂは、同じまたは異なる材料であってもよく、かつ、同じまたは異なる量であってもよい。第１および第２の分室２６ａ、２６ｂは、貯留槽アクセス層２２および貯留槽裏層２４上において、図１０〜図１２に４４ａ、４４ｂとして示され、かつ、図１３に完全な溶着または封止４４として示されるガイドラインに沿って形成された、溶着または封止により形成されていてもよい。溶着線４４ａ、４４ｂにおいて第１および第２の分室２６ａ、２６ｂに分割された充填空間２６は例示であって、充填空間内の分室の数に関して制限するものではない。
【００１６】
図１０は、単一のつまみ３０で被覆されたアクセス孔２８ａ、２８ｂを示している。つまみ３０は、延長部３２、折り重ね部３４および折り返し部３６を備えている。第１および第２の材料１２ａ、１２ｂが異なっている、または異なる時間に分配されるよう意図されている場合、第１および第２のつまみが、図１１に示すように、利用されてもよい。図１２の塗布器１０は、第１および第２の複数の細孔３８ａ、３８ｂを使用して、充填空間２６の第１および第２の分室２６ａ、２６ｂにある第１および第２の材料１２ａ、１２ｂにアクセスする。この構成では、第１の複数の細孔３８ａは、充填空間２６の第１の分室２６ａに関連付けられ、かつ重なっており、第２の複数の細孔３８ｂは、充填空間２６の第２の分室２６ｂに関連付けられ、かつ重なっている。
【００１７】
第１の貯留槽１８は、第１の塗布器層１４により分配されることになる充填材料１２を貯蔵している。分配されることになる充填材料１２は、図５における塗布器の実施形態に示すように、充填空間１８内で直接塗布されてもよく、または、図９における塗布器の実施形態に示すように、カプセル４０であっても、もしくは、充填空間２６内へと入れられて塗布器１０の組み立て中に所定の位置に固定される複数のカプセル（図示せず）であってもよい。貯留槽アクセス層２２が、図５の実施形態に示すような、アクセス孔２８およびつまみ３０の構成とされており、充填材料１２が充填空間１８内で直接塗布される場合、充填材料１２は、つまみ３０を除去し、かつ充填材料１２に圧力を加えることにより、分配される。加えられた圧力により、第１の塗布器表面１６における塗布のために、充填空間１８から、アクセス孔２８を通って、第１の塗布器層１４へと充填材料１２が押される。圧力はユーザにより、指受け入れ空間２０における１または複数の指で、および／または、塗布器１０の外側における追加の１または複数の指で、第１の貯留槽１８をつまむまたは絞ることで加えられる。
【００１８】
図９における実施形態に示すように、充填材料１２が材料カプセル４０に貯蔵されている場合、ユーザは、アクセス孔２８からつまみ３０を除去する前に、まずカプセルを裂いて充填材料１２を放出しなければならない。材料カプセル４０を裂いて充填材料１２を放出するのに必要な圧力は、ユーザの指でつまむ動作により、ユーザによって容易に加えることができるものであるが、塗布器１０が移動または貯蔵中に遭遇する可能性のある偶発的な圧力よりも大きなものである、妥当な圧力となるよう選択される。アクセス孔２８を覆うつまみ３０を貯留槽アクセス層に固定する溶着または接着剤の結合強度、および、貯留槽アクセス層の引張強度は、材料カプセル４０を裂くのに必要な裂く圧力よりも大きくなければならない。これにより、貯留槽アクセス層２２からつまみ３０を時期尚早に開放してアクセス孔２８を露出させ、および／または、材料カプセル４０をアクセス孔２８を通って押しやることになる圧力を、ユーザが材料カプセル４０に加えることが防止される。
【００１９】
材料カプセル４０と、第１の複数の細孔３８を備える貯留槽アクセス層２２とを有する塗布器１０の実施形態では、図９に示すように、材料カプセル４０および細孔３８を裂くのに必要な裂く圧力は等しいか、または、材料カプセル４０を裂くのに必要な裂く圧力は、細孔３８を開くのに必要な裂く圧力よりも小さくなければならない。これにより、材料カプセル４０内の充填材料１２が、細孔３８が開くと同時または細孔３８が開く前に、カプセルから放出されることになる。
【００２０】
図２、図４、図５、図６および図９に示す塗布器１０の実施形態から分かるように、指受け入れ空間２０は、第１の貯留槽１８の裏層２４に対する、フィルム層４２の貼着により形成される。フィルム層４２は、図２、図４および図５に示すように、第１の貯留槽１８の長さよりも短く延びていてもよく、または、図６、図８および図９に示すように、第１の貯留槽１８の長さ全体に延びていてもよい。フィルム層４２は、フィルム層４２が塗布器の保管中に平らになり、かつ作動中に指を快適に受け入れるよう延びることを可能にする、容易に変形可能な、または弾性の材料で構成されている。
【００２１】
本発明に係る塗布器１０の実施形態が図１〜図４に示されており、そこでは、塗布器層１４が外側または外部に向いたスポンジまたは発泡体層を備えている。この塗布器１０は、図５の分解図に示す塗布器１０に対応する。貯留槽アクセス層２２は、つまみ２４およびアクセス孔２８の構成とされており、指受け入れ空間２０は、第１の貯留槽１８の裏層２４にフィルム層４２を貼着することにより形成されている。この塗布器１０では、指受け入れ空間２０は、１本の指、例えばユーザの人差し指を受け入れる寸法とされている。この実施形態では、塗布器層１４はまた布であってもよく、または、貯留槽アクセス層２２は、つまみおよびアクセス孔の代わりに、第１の複数の細孔を組み込んでいてもよい。
【００２２】
図１０〜図１３は、本発明に係る塗布器１０の実施形態を示しており、そこでは、充填空間２６は、複数の分室に分割されている。図１０および図１３における塗布器１０の実施形態は、単一のつまみ３０を利用しており、つまみ３０を除去することにより、第１および第２のアクセス孔２８ａ、２８ｂの両方が同時に露出されることになる。図１０は、第１および第２の量の充填材料１２ａ、１２ｂが、充填空間２６の第１および第２の分室２６ａ、２６ｂ内で直接塗布されているところを示している。図９に示す材料カプセル４０などの第１および第２の材料カプセルを利用することもできる。図１３に示す塗布器１０は、仕上がった溶着または封止４４として示す図１０における溶着または封止ガイドライン４４ａ、４４ｂを有する図１０の組み立てられた塗布器である。
【００２３】
図１１および図１２に示す塗布器１０の実施形態は、図１０、図１３に示す塗布器１０に、類似の仕方で組み立てられることになる。図１１における塗布器１０の実施形態は、第１の分室２６ａおよび第２の分室２６ｂを備える充填空間２６を示しており、貯留槽アクセス層２２にある第１のアクセス孔２８ａは第１の分室２６ａに重なっており、貯留槽アクセス層２２にある第２のアクセス孔２８ｂは第２の分室２６ｂに重なっている。第１のつまみ３０は、貯留槽アクセス層２２に解除可能に貼着し、かつ、第１のアクセス孔２８ａに重なっており、第２のつまみ７８は、貯留槽アクセス層２２に解除可能に貼着し、かつ、第２のアクセス孔２８ｂに重なっている。
【００２４】
図１２に示す塗布器１０の実施形態では、第１の貯留槽１８の充填空間２６は、第１の分室２６ａおよび第２の分室２６ｂを備えている。貯留槽アクセス層２２にある第１の複数の細孔３８ａが、第１の分室２６ａに重なっており、貯留槽アクセス層２２にある第２の複数の細孔３８ｂが、第２の分室２６ｂに重なっている。
【００２５】
図６〜図８は、本発明に係る塗布器１０の別の実施形態を示しており、そこでは、塗布器層１４は、外側または外部に向いた布層を備えている。この塗布器は、図９の分解図に示す塗布器１０に対応する。貯留槽アクセス層（図６〜図８に示さず）は、複数の細孔の構成とされており、指受け入れ空間２０は、第１の貯留槽１８の裏層２４にフィルム層４２を貼着することにより形成されている。図８に示すように、フィルム層４２は、第１の貯留槽１８の長さ全体に延びている。指受け入れ空間２０は、１本の指、例えばユーザの人差し指を受け入れる寸法とされている。この実施形態では、塗布器層１４はまたスポンジまたは発泡体であってもよく、または、貯留槽アクセス層２２は、第１の複数の細孔の代わりに、つまみおよびアクセス保持構成を組み込んでいてもよい。
【００２６】
図１を参照して、塗布器１０の外周縁が、対向する直線状の側部４６、４８と、円弧状の下縁５０と、直線状の上縁５２とを、つまみ３０が上縁５２の上方に延びた状態で、大略的に備えていることが示されている。つまみ３０が意図せず時期尚早に引かれて貯留槽アクセス層（図示せず）から取り外されることが起きるのを低減または排除するために、塗布器１０の最外層の上縁５２は、円弧状または丸みを付けた曲線とされて、つまみ３０を越えて延びていてもよい（図１４、図１５を参照）。上縁５２における湾曲は、下縁５０における湾曲と一致していても、または、異なっていてもよい。
【００２７】
図１６、図１７を考慮して、使用されていないときに第１の塗布器表面を清潔で損傷のない状態に保つための、第１の塗布器表面１６にわたる保護被覆５４を有する、本発明に係る塗布器１０の別の実施形態を示す。図１７に示すように、つまみ３０は、矢印５６で示す方向に引いて、塗布器１０から除去される。保護被覆５４は、矢印５８で示す方向に、塗布器から除去されるよう意図されている。この構成では、保護被覆５４の除去中に、保護被覆５４がつまみ３０を引っ掛けて引く可能性が低減される。
【００２８】
図１〜図１７に関連して説明する塗布器１０はすべて全体として、単一の塗布器層１４および単一の貯留槽１８を備えている。図１８、図１９に示す本発明に係る塗布器１０の他の実施形態は、複数の塗布器層１４、６０および複数の貯留槽１８、６４を備えている。図１８に示す実施形態をまず参照して、塗布器１０は、第１の塗布器表面１６を有する第１の塗布器層１４と、第１の貯留槽１８と、第２の塗布器表面６２を有する第２の塗布器層６０と、第２の貯留槽６４と、第１および第２の貯留槽１８、６４の間にある指受け入れ空間とを備えている。先行の塗布器と同様、第１の貯留槽は、貯留槽アクセス層２２および裏層２４を備えており、貯留槽アクセス層２２および裏層２４は、充填空間を区画している。貯留槽アクセス層２２は、第１の貯留槽１８の充填空間２６と第１の塗布器層１４との間で流体連通を可能にする、第１の複数の細孔３８を有している。
【００２９】
この塗布器１０は、第２の貯留槽６４をさらに備えており、第２の貯留槽６４は、第２の量の充填材料７２を保持するための充填空間７０をともに形成する、貯留槽アクセス層６６および裏層６８を備えている。第２の貯留槽６４の貯留槽アクセス層６６は、充填空間７０と第２の塗布器層６０との間で流体連通を可能にする、第２の複数の細孔７２を備えている。この塗布器１０では、第１および第２の塗布器層１４、６０は布であって、第１のおよび第２の塗布器表面１６、６２は、外部に向かって、または、外側に向かって延びている。第１および第２の塗布器層１４、６０は両方とも発泡体もしくはスポンジであってもよく、または、各塗布器層は異なる材料であってもよい。第１および第２の量の充填材料１２、７２は、充填空間２６、７０内へと直接塗布されるところが示されており、いずれかまたは両方の量の充填材料１２、７２を、図９の材料カプセル４０などの材料カプセル内に収容してもよい。同様に、両方の貯留槽アクセス層２２、６６を、複数の細孔３８、７４を含むものとして示しているが、１つまたは両方のセットの細孔を、図５に示すつまみ３０およびアクセス孔２８の構成により置き換えてもよい。
【００３０】
図１９に示す塗布器１０の実施形態では、塗布器１０は、指受け入れ空間２０を区画する第１および第２の塗布器層１４、６０を有するものとして示されている。第１の塗布器層１４の塗布器表面１６は内部に向いており、かつ、第２の塗布器層６０の塗布器表面６２に対向している。この構成では、塗布器表面１６、６２は、充填材料１２、７２を、指受け入れ空間２０内にある指へと塗布することになる。図１８で説明する塗布器に類似して、この塗布器１０は、第１の塗布器層１４に隣接する第１の貯留槽１８を備えており、貯留槽アクセス層２２および裏層２４が、第１の量の充填材料１２を受け入れるための充填空間２６を区画している。
【００３１】
塗布器１０は、第２の塗布器層６０に隣接する第２の貯留槽６４を備えており、ここでも、貯留槽アクセス層６６および裏層６８が、第２の量の充填材料７２を受け入れるための充填空間７０を区画している。両方の貯留槽アクセス層２２、６６は、つまみ３０、７８およびアクセス孔２８、７６の構成とされている。第１の貯留槽１８にある貯留槽アクセス層２２は、つまみ延長部３２と、折り重ね部３４と、折り返し部３６とを有する、つまみ３０を備えている。第２の貯留槽６４にある貯留槽アクセス層６６は、つまみ延長部８０と、折り重ね部８２と、折り返し部８４とを有する、つまみ７８を備えている。第１の塗布器層１４がスポンジまたは発泡体層であるのに対し、第２の塗布器層６０は布である。塗布器層１４、６０は両方がスポンジもしくは発泡体であっても、または、両方が布であってもよい。この塗布器では、充填材料１２、７２は、第１および第２の貯留槽１８、６４の充填空間２６、７０内に保持された材料カプセル４０、８６に収容されている。充填材料１２、７２も、図１８に示すように、充填空間２６、７０内へと直接塗布することができる。
【００３２】
図２０〜図３１は、図１８、図１９に示す塗布器に類似の複数の貯留槽および複数の塗布器層の実施形態である、組み立てられた塗布器１０を示している。図２０〜図２２に示す塗布器１０の実施形態は、スポンジまたは発泡体の第１および第２の塗布器層１４、６０と、外部に向いた塗布器表面１６、６２とを備えている。第１のつまみ３０を引くことで、第１のアクセス孔が露出されて、充填材料が第１の貯留槽から第１の塗布器層１４を通って分配されることが可能とされることになり、第２のつまみ７８を引くことで同様に、第２のアクセス孔が露出されて、充填材料が第２の貯留槽から第２の塗布器層６０を通って分配されることが可能とされることになる。指受け入れ空間２０は、第１の貯留槽（図示せず）の裏面および第２の貯留槽の裏面６８により区画される。
【００３３】
図２３〜図２５および図２６〜図２８に示す塗布器１０の実施形態は構成が、図２０〜図２２の塗布器と同一であるが、第１および第２の塗布器層１４、６０に関するさまざまな材料の組み合わせを示している。図２３〜図２５に示す塗布器１０の実施形態では、第１の塗布器層１４はスポンジまたは発泡体であり、第２の塗布器層６０は布である。図２６〜図２８に示す塗布器１０の実施形態では、第１の塗布器層１４および第２の塗布器層６０は両方とも布である。
【００３４】
図２９〜図３１に示す塗布器１０の実施形態は構成が、図１９の分解図に示す塗布器１０に類似しており、内側に向いた第１および第２の塗布器層（図示せず）６０を有している。この塗布器１０では、第２の塗布器層６０はスポンジまたは発泡体である。第１および第２の塗布器層１４、６０は、両方ともスポンジもしくは発泡体であっても、両方とも布であっても、または、スポンジもしくは発泡体および布の組み合わせであってもよい。
【００３５】
図１〜図３１に関連して説明した塗布器１０のさまざまな実施形態はすべて、１本の指用を意図した指受け入れ空間２０を含んでいる。図３２〜図４９に示す塗布器１０の実施形態はすべて、２本またはそれ以上の指用を意図した指受け入れ空間を有している。図１〜図３１に示す塗布器と比較して、これらの塗布器１０の全体的な幅は調整されているが、全体的な構造、特徴、構成および機能性は同じままである。まず図３２〜図３５を取り上げて、これらの図に示す塗布器１０の実施形態は、図１〜図４に示す塗布器１０と同じであり、より幅広の指受け入れ空間２０を有している。図１〜図４の塗布器１０の参照番号および説明が、図３２〜図３５に示す塗布器１０に適用される。次に図３６〜図３８に示す塗布器１０の実施形態を参照して、塗布器１０は、図２０〜図２２に示す塗布器１０と同じであり、より幅広の指受け入れ空間２０を有している。図２０〜図２２の塗布器１０の参照番号および説明が、図３６〜図３８に示す塗布器１０に適用される。図３９〜図４１に示す塗布器１０の実施形態は、図２３〜図２５に示す塗布器１０と同じであり、より幅広の指受け入れ空間２０を有している。図２３〜図２５の塗布器１０の参照番号および説明が、図３９〜図４１に示す塗布器１０に適用される。図４２〜図４４に示す塗布器１０の実施形態は、図２６〜図２８に示す塗布器１０と同じであり、より幅広の指受け入れ空間２０を有している。図２６〜図２８の塗布器１０の参照番号および説明が、図４２〜図４４に示す塗布器１０に適用される。図４５〜図４７に示す塗布器１０の実施形態は、図６〜図８に示す塗布器１０と同じであり、より幅広の指受け入れ空間２０を有している。図６〜図８の塗布器１０の参照番号および説明が、図４５〜図４７に示す塗布器１０に適用される。図４８〜図５０に示す塗布器１０の実施形態は、図２９〜図３１に示す塗布器１０と同じであり、より幅広の指受け入れ空間２０を有している。図２９〜図３１の塗布器１０の参照番号および説明が、図４８〜図５０に示す塗布器１０に適用される。
【００３６】
添付の図面に示し本明細書で説明した塗布器の製造の１つの方法では、縦型袋詰め（「ＦＦＳ」）機（ｖｅｒｔｉｃａｌ  ｆｏｒｍ，  ｆｉｌｌ，  ａｎｄ  ｓｅａｌ  ｍａｃｈｉｎｅ）を利用して、装置のさまざまな層を互いに貼着し、次いで、所望の最終形状に型抜きされる。１又は複数のフィルムのロールがＦＦＳ機にセットされる。細孔の実施形態では、材料のロールが製造中に穿孔されてもよく、または、材料がロールからほどかれる際に、微細孔が付け加えられてもよい。フィルムは、形成場を通過して、溶液を保持するための貯留槽層、または、異なる溶液を有するカプセル、または、飽和したスポンジ／発泡体もしくは布を形成することになる。貯留槽層を形成および充填する過程で、スポンジ／発泡体または布のロールは、最初のフィルムのロールおよび弾性のフィルムに追従して、すべての構成要素を互いに封止することになる。組み立て品は、型抜き場に進み、そこで所望の形状およびサイズの個々のユニットに切断される。水平方向の形成／充填／封止処理において、フィルムのロールは形成場を通過して、溶液用の調製または材料カプセルの導入において、小さなまたは大きな貯留槽層を形成することになる。次いで、穿孔されたフィルムは、溶液またはカプセルを被覆して、製品をぴったりと封止することができる。布またはスポンジ／発泡体の巻きは、封止されることになる充填した袋を被覆することになる。そこから、組み立て品は切断／打ち抜き場に進んで、所望の形状に切断されることになる。そこから、それは切断／打ち抜き場に進んで、所望の形状に切断することになる。両方の方法において、穿孔されたフィルムは、穴／開口を有し穴を覆って貼着された除去可能なつまみを有するフィルムと交換できる。
【００３７】
当業者であれば、本明細書に記載した発明が、特に説明したもの以外の変形および修正を受けられることを理解するであろう。本発明が、その精神および範囲内に該当する、すべてのそうした変形および修正を含むことを理解されたい。本発明は、個別にであれ、集合的にであれ、この明細書で言及または示唆したすべてのステップ、特徴、組成および複合物、ならびに、上記ステップまたは特徴のいずれか２つまたはそれ以上のいずれかのおよびすべての組み合わせをも含んでいる。
【００３８】
ゆえに、上述したものは、本発明の原理のみを例示するものと理解される。さらに、多くの修正例および変形例が当業者によって容易に想起されるであろうから、本発明を、図示および説明した通りの構造および作動に限定することは希望されず、したがって、すべての適切な修正例および均等物が採用されてもよく、本発明の範囲に該当する。
【図１】
2021504079.tif 000003
【図２】
2021504079.tif 000004
【図３】
2021504079.tif 000005
【図４】
2021504079.tif 000006
【図５】
2021504079.tif 000007
【図６】
2021504079.tif 000008
【図７】
2021504079.tif 000009
【図８】
2021504079.tif 000010
【図９】
2021504079.tif 000011
【図１０】
2021504079.tif 000012
【図１１】
2021504079.tif 000013
【図１２】
2021504079.tif 000014
【図１３】
2021504079.tif 000015
【図１４】
2021504079.tif 000016
【図１５】
2021504079.tif 000017
【図１６】
2021504079.tif 000018
【図１７】
2021504079.tif 000019
【図１８】
2021504079.tif 000020
【図１９】
2021504079.tif 000021
【図２０】
2021504079.tif 000022
【図２１】
2021504079.tif 000023
【図２２】
2021504079.tif 000024
【図２３】
2021504079.tif 000025
【図２４】
2021504079.tif 000026
【図２５】
2021504079.tif 000027
【図２６】
2021504079.tif 000028
【図２７】
2021504079.tif 000029
【図２８】
2021504079.tif 000030
【図２９】
2021504079.tif 000031
【図３０】
2021504079.tif 000032
【図３１】
2021504079.tif 000033
【図３２】
2021504079.tif 000034
【図３３】
2021504079.tif 000035
【図３４】
2021504079.tif 000036
【図３５】
2021504079.tif 000037
【図３６】
2021504079.tif 000038
【図３７】
2021504079.tif 000039
【図３８】
2021504079.tif 000040
【図３９】
2021504079.tif 000041
【図４０】
2021504079.tif 000042
【図４１】
2021504079.tif 000043
【図４２】
2021504079.tif 000044
【図４３】
2021504079.tif 000045
【図４４】
2021504079.tif 000046
【図４５】
2021504079.tif 000047
【図４６】
2021504079.tif 000048
【図４７】
2021504079.tif 000049
【図４８】
2021504079.tif 000050
【図４９】
2021504079.tif 000051
【図５０】
2021504079.tif 000052
【国際調査報告】
2021504079.tif 000053
2021504079.tif 000054